(57)【要約】【課題】良好な性能有しかつ、最終原価を比較的に低く保つ、パレットの構成を提供する。【解決手段】本発明は、様々な積荷の保管及び移送のためのパレットに関する。とりわけ、本発明は、軽量で柔軟な耐圧縮性の材料を備えたパレットの構成に関する。パレットは、積荷を収容できる積荷配置面２と、積荷配置面２に関連しかつ積荷を支持することができる支持要素３とを少なくとも備えている。好適な実施例のパレットは、支持要素３が一種の多包型のプラスチックを少なくとも備えておりかつ支持要素３が実質的にドーム形状断面であることによって特徴付けられている。パレット１は、積荷配置面２及び支持要素３の両方を外部で包囲することができる織物カバーを備えている。【選択図】図２
2011105351.tif 000002
【特許請求の範囲】
【請求項１】
積荷を収容できる積荷配置面（２）と、
前記積荷配置面（２）と関連しかつ前記積荷を支持することができる二つの支持要素（３）とを少なくとも備え、
前記二つの支持要素（３）は、互いに実質的に平行に位置決めされており、各支持要素（３）は、実質的に円形ドーム状の種類の断面を備えかつ上限部（６）及び下限部（６）を有しており、積荷を保管及び移送のために使用されるパレット（１）において、
前記積荷配置面（２）は、前記支持要素（３）の前記上限部（６）と前記下限部（７）の間の予め定めた場所に位置決めされており、前記積荷配置面（２）は、前記下限部（７）よりも前記上限部（６）の近くに位置決めされている、積荷を保管及び移送のために使用されることを特徴とする、積荷を保管及び移送のために使用されるパレット（１）。
【請求項２】
前記積荷配置面（２）は、前記積荷配置面（２）の対向する端部において互いに平行に配置された、第一端部（２０１）及び第二端部（２０２）を備え、
少なくとも一つの支持要素（３）は前記第一端部（２０１）に関連しており、少なくとも一つの支持要素（３）は前記第二端部（２０２）に関連していることを特徴とする請求項１に記載のパレット（１）。
【請求項３】
前記パレット（１）は、複数の前記支持要素（３）の前記下限部（７）の間において、前記下限部（５）を関連付けている基部（５）を少なくとも備えていることを特徴とする請求項２に記載のパレット（１）。
【請求項４】
前記パレット（１）は、互いに実質的に直角に位置決めされている二つの対で分類される四つの支持要素（３）を備え、各対の前記支持要素（３）は、互いに実質的に平行であることを特徴とする請求項１に記載のパレット（１）。
【請求項５】
前記積荷配置面（２）は、前記積荷配置面（２）の対向する端部において互いに平行に配置された、第三端部（２０３）及び第四端部（２０４）を備え、
少なくとも一つの支持要素（３）は前記第三端部（２０３）に関連しており、少なくとも一つの支持要素（３）は前記第四端部（２０４）に関連していることを特徴とする請求項１に記載のパレット（１）。
【請求項６】
前記支持要素（３）は、対応の前記第一端部（２０１）、前記第二端部（２０２）、前記第三端部（２０３）及び前記第四端部（２０４）の長さよりも小さな長さを有し、
前記支持要素（３）は、フォークリフトのフォークの位置決めをすることができるための開口部（１０）を有している端部を備えていることを特徴とする請求項５に記載のパレット（１）。
【請求項７】
前記積荷配置面（２）と前記基部（５）は、前記支持要素（３）を外部で有するように、一つの片を形成するために直接的に関連していることを特徴とする請求項３に記載のパレット（１）。
【請求項８】
前記支持要素（３）の軽くて柔軟で耐圧縮性材料は、多包型のプラスチックを備えていることを特徴とする請求項１に記載のパレット（１）。
【請求項９】
前記積荷配置面（２）は織物カバーを有していることを特徴とする請求項１に記載のパレット（１）。
【請求項１０】
前記積荷配置面（２）の前記織物カバーはラフィアを備えていることを特徴とする請求項９に記載のパレット（１）。
【請求項１１】
前記積荷配置面（２）は、前記支持要素（３）上で支持されていることを特徴とする請求項１に記載のパレット（１）。
【請求項１２】
前記積荷配置面（２）の前記織物カバーの延長部は、前記支持要素（３）を外部で包囲することができることを特徴とする請求項９に記載のパレット（１）。
【請求項１３】
前記積荷配置面（２）の前記織物カバーの延長部は、前記支持要素（３）に縫合されていることを特徴とする請求項９に記載のパレット（１）。
【請求項１４】
前記積荷配置面（２）は、前記積荷配置面（２）の対向する端部において互いに平行に配置されている、第一端部（２０１）及び第二端部（２０２）と、前記積荷配置面（２）の対向する端部において互いに平行に配置されておりかつ前記第一端部（２０１）及び前記第二端部（２０２）と交差している、第三端部（２０３）及び第四端部（２０４）とを備えていることを特徴とする請求項１に記載のパレット（１）。
【請求項１５】
前記支持要素（３）は、前記第三端部（２０３）の直角突起部から前記第四端部（２０４）の前記直角突起部へ延びている長手方向断面を有していることを特徴とする請求項１４に記載のパレット（１）。
【請求項１６】
前記積荷配置面（２）は、前記パレット（１）の前記支持要素（３）と前記積荷配置面（２）の前記織物カバーとの間において配置されている支持プラットフォームを少なくとも備えていることを特徴とする請求項４に記載のパレット（１）。
【請求項１７】
前記積荷配置面（２）の前記織物カバーは前記支持プラットフォーム（２０５）に縫合されていることを特徴とする請求項１６に記載のパレット（１）。
【請求項１８】
前記パレット（１）は、前記パレット（１）の前記支持要素（３）と前記基部（５）の前記織物カバーとの間において配置されている支持プラットフォーム（２０６、２０７）を少なくとも備えていることを特徴とする請求項４に記載のパレット（１）。
【請求項１９】
前記積荷配置面（２）の前記織物カバーの延長部は、前記支持要素（２０６、２０７）に縫合されることを特徴とする請求項１８に記載のパレット（１）。
【発明の詳細な説明】
【技術分野】
【０００１】
本発明は、様々な積荷を保管及び移送するためのパレットに関するものである。とりわけ、本発明は、軽量で柔軟な耐圧縮性の材料からなるパレットの構成に関するものである。
【背景技術】
【０００２】
積荷の保管及び移送のために使用されるパレットは、その機能、性能及び品質によって評価することができ、特に、機械抵抗、寸法安定性、静的安定性及び動的安定性等のパラメータを分析することができる。上記パラメータは、使用者のニーズ、操作及び移動に応じて形成される要求を満たさなければならない。これにより、原料と、パレットの組み立て及び製造で使用される構成についての２つの基本的な課題が生じる。 しかしながら、製造に伴うコストは、パレットの形状の範囲についての制限要因である。望ましい全ての特性を有する機能的で効率的で品質の良好なパレットが、高価で、製造が実現不可能と考えられるということが度々ある。
【０００３】
評価パラメータ
機械的抵抗は、パレットの全許容荷重の決定的要因の一つである。使用原料と構成の両方が、このことに直接的に影響を及ぼす。低い機械的抵抗を有するパレットは、低い許容積載量を有し、パレットに配置された全重量に依っては、曲がる又は損傷を受け、積荷の安全性を損なう可能性がある。
【０００４】
寸法安定性は、温度及び湿度等の気候変化に関して低い感度を有する、処理容易の原料を使用することによって実現される。製造工程により、いかなる寸法の不一致を補正することができるが、この補正は、コストを伴い、専門的人的資源の割り当てと時間の両方が他の製造工程で使用する可能性があるので、繰り返しの作業のコストが高くなることがしばしばある。
【０００５】
静的安定性は、パレット上に積荷を堆積させる時と、パレット不使用時にパレットを重畳的に堆積する時に特に重要である。パレットの構成は、パレットの界面におけるいかなる構造的欠陥によっても堆積積荷が滑る又は不安定となる危険なく、最大の品質の堆積積荷を許容する。それゆえ、界面は、積荷を配置するための物理的空間を有するだけでなく、積荷自体の安定性及び安全性を提供しなければならない。これは、パレットの堆積についても言える。現在、空間の無駄を無くすために、又は、他の製造上の目的で不使用パレットを使用するために、不使用パレットを堆積させることが通常である。パレットの構造は、パレットがその下の別のパレットを損傷させないようなものでなければならない。
【０００６】
動的安定性は、フォークリフト・トラックのフォークがパレット内に挿入される時にフォークが滑る又は摺動することに関連している。現在知られている多くのパレットは、フォーク上の完全な安定性を維持することができず、これは、摺動を引き起こし、その結果、トラックがパレットを移動させる時に積荷を損傷させる可能性がある。パレットの形状は、例えば、水平方向及び垂直方向に移動するコンベヤベルトを介した移送等の、パレットが製造工程中に受ける他のタイプの移動を考慮しなければならない。構成及び使用原料の両方が動的安定性に影響を及ぼし、低い磨耗（摩擦）を有する材料により摺動を促進する。
【０００７】
上述のパラメータは、パレチゼーション（堆積したパレットの分離と、パレット上への積荷の配置）や、利用（パレット上の比較的に少ない様々な積載量を、比較的に大きな一つ積載量にグループ化する）や、輸送（パレットの移送、移動及び荷降ろし）等の、パレットを操作する時に伴われる様々な工程に直接的に影響を及ぼす。
【０００８】
原料
原料の選択は、パレット形状についての基本的かつ決定的段階であり、これは、ニーズや要求に依る設計範囲に対する制限要因となりうる。構成の性能は使用原料に直接的に依存し、また、逆に、使用原料は構成の性能に直接的に依存する。
【０００９】
現在において最も知られているパレットは、木製又は射出プラスチック製である。
【００１０】
木製部品は、比較的に低い製造コストを有し、また、製造容易で、構造的にしっかりとしている。しかしながら、木材は、シロアリ等の害虫による攻撃に対する脆弱性という問題や、釘やネジを使用することが必要とされ、部品を接合させる時にパレット上に配置された積荷を釘で損傷させうるという特定の問題を呈する。別の欠点は、木の寸法制御の困難性を伴う。この要因は、不使用時のパレットを保管する困難さを生み出す他に、工程の自動化を損ないうる。
【００１１】
製造コストが低いにもかかわらず、木製パレットは、特にパレットを輸送するために、燻蒸工程を実施する必要があるので、高価となりうる。燻蒸は、パレットを殺菌してシロアリ等の害虫をなくすために、木に化学製品を適用することからなる。この工程は、時間を消費し、また、高価であり、パレットの最終コストを引き上げると共に、商品移送コストを引き上げる。
【００１２】
最後に、木製パレットの最終的な不利な点は、持続性及び環境保全性に関連する。木の使用は、環境を破壊し、環境に否定的な影響を及ぼす。それゆえ、持続性の要求は、妥協され、天然資源が潜在的に枯渇する又は欠乏してしまう。
【００１３】
射出プラスチックの部品は、良好な耐久性及び固有の害虫抵抗を有し、一般に射出プラスチック製のパレットは一つのユニットで製造されているので、釘を必要としない。しかしながら、この射出プラスチック材料は、低い摩擦（不安定）、修理が困難である点、射出成形の製造に伴う高コスト等の欠点を有する。したがって、製造コストがパレットの最終価格を引き上げ、ほとんどの場合において、プラスチック製のパレット高い製造コストにより、使用が困難となる。
【００１４】
この背景において、本発明が提案されるまで、望まれる要求及び機能の全てを低コストで満たすパレットは知られていなかったということができる。使用者は、パレットのコスト、材料及び構成によって決定付けられる制限によって他の特徴を断念しつつ、特定の特徴を選ばざるを得ないということがしばしばあった。
【発明の概要】
【発明が解決しようとする課題】
【００１５】
本発明の目的
本発明の第一の目的は、上述の機能の要求を満たしかつ、良好な性能有しかつ、最終原価を比較的に低く保つ、パレットの構成を提案することである。
【００１６】
本発明の主題であるパレットの形状及び構成は、市場で容易に得られる低コスト材料の使用を優先している。パレット形状の簡素さにより、パレットを製造する製造工程は、実施容易であり、かつ高価な装置（設備、機械及び工具）及び専門的な労働を必要としない。それゆえ、これらの要因により、当業界において現在公知である、他のタイプのパレットと比べて低い最終コストが保証される。さらに、上述の理由で、必要とされるであろう、パレットの維持及び修理も容易とされる。
【００１７】
さらに、パレットの保管及び移送のための望まれる機能及び性能の要求を妥協することなく、比較的に低いコストを得る目的で、パレットの新しい構成及び材料が開発された。
【００１８】
本発明の第二の目的は、上述の全ての特徴を有しているパレットであって、四つの部分（前方、後方、左側及び右側）において移送操作ができ、かつフォークリフトの操作を容易にするパレットを提供することである。
【００１９】
本発明の第三の目的は、上述の全ての特徴を有しているパレットであって、固有の幾何学的形状の構成により、非常に重い積荷を移送する場合でさえ平坦を維持する、支持構造又はプラットフォームを避けたパレットを提供することである。
【００２０】
本発明の第四の目的は、上述の全ての特徴を有している、製造コストが低いパレットを提供することである。
【００２１】
本発明の第五の目的は、上述の全ての特徴を有しているパレットであって、プラスチック樹脂の原料を移送するために使用される時に、前もって移送された樹脂と共に溶融させることができ、さらなる費用をかけずにその再生工程を実現できる、パレットを提供することである。
【課題を解決するための手段】
【００２２】
本発明の目的は、積荷を収容できる積荷配置面と、積荷配置面に関連しかつ積荷を支持することができる二つの支持要素とを少なくとも備え、これら二つの支持要素は、互いに実質的に平行に位置決めされており、各支持要素は、実質的に円形ドーム状の種類の断面を備えかつ上限及び下限を有しており、積荷配置面は、支持要素の上限と下限の間の予め定めた場所に位置決めされており、積荷配置面は、下限よりも上限の近くに位置決めされている、積荷を保管及び移送のために使用されるパレットによって実現される。
【００２３】
ここで、以下に本発明について添付図面を参照しつつ詳細に説明する。
【図面の簡単な説明】
【００２４】
【図１】任意の面上に保持されるパレットの支持要素の斜視図を示している。
【図２】本発明の第一実施例のパレットの斜視図を示している。
【図３】図２に示すパレットの正面図を示している。
【図４】本発明の第二実施例のパレットの斜視図を示している。
【図５】図４に示すパレットの正面図を示している。
【図６】本発明の第三実施例のパレットの斜視図を示している。
【図７】図６に示すパレットの正面図を示している。
【図８】本発明の第四実施例のパレットの斜視図を示している。
【図９】図８に示すパレットの正面図を示している。
【図１０】本発明の第五実施例のパレットの斜視図を示している。
【図１１】図１０に示すパレットの正面図を示している。
【図１２】本発明の第六実施例のパレットの斜視図を示している。
【図１３】図１２に示すパレットの正面図を示している。
【図１４】図１２に示すパレットの支持要素の斜視図である。
【図１５】図１４に示すパレットの支持要素の正面図である。
【図１６】図１２に示すパレットの、積荷を受け入れる表面及び基部の正面図である。
【図１７】本発明の第七実施例のパレットの斜視図を示している。
【図１８】積荷を受け入れるための表面なしで、図１７に示すパレットの上面図を示している。
【図１９】積荷を受け入れるための表面なしで、図１７に示すパレットの正面図を示している。
【図２０】本発明の第八実施例のパレットの斜視図を示している。
【図２１】積荷を受け入れるための表面なしで、図２０に示すパレットの上面図を示している。
【図２２】積荷を受け入れるための表面なしで、図２０に示すパレットの正面図を示している。
【発明を実施するための形態】
【００２５】
本発明の主題であるパレット１の好適な実施例のいくつかの例を以下に挙げる。全ての例において、パレット１は、二つ以上の支持要素３上で保持されている積荷配置面２を備えている。好ましくは、三つの支持要素３が用いられる。しかしながら、この数は、望まれる機能上の必要性及び要求に応じて変えることができる。
【００２６】
積荷配置面２は、繊維カバーを有し、全重量制限が考慮されて積荷が繊維カバーを損傷しない場合には、いかなるタイプの積荷も収容できる。織物カバーは、支持要素３へ延びて支持要素３を包囲しており、繊維カバーと支持要素３は、単に裁縫によって共に保持されえている。しかしながら、例えば、特定の接着剤やはんだ付け等の他のタイプの接合が可能である。好ましくは、ラフィアを備えている織物が使用されている。ラフィアは、ポリプロピレンから変換された合成繊維からなるコストの低い材料である。ラフィアの主な特徴は、摺動することなくパレット１上に配置されている積荷を安定させるために十分に磨耗を提供することに加え、高い機械的抵抗、（成形が容易である）良好なサイズ安定性、清浄容易性、及び高温安定性を含む。ラフィアを使用する時に実現される機能及び安全の要求をラフィアの特徴が損なわない限り、別の種類の自然繊維、合成繊維又は人工繊維を使用することができる。
【００２７】
積荷配置面２は、第一端部２０１、第二端部２０２、第三端部２０３及び第四端部２０４の四つの端部を備えている。第一端部２０１及び第二端部２０２が、積荷配置面２の対向する端部において互いに平行に配置されており、第三端部２０３及び第四端部２０４が、積荷配置面２の対向する端部において互いに平行に配置されており、第一端部２０１及び第二端部２０２と交差している。パレット１は、さらに、積荷配置面２の織物カバーの延長部によって形成される外部手段上でパレット１を支持することができる基部５を備えている。この外部手段は、複数のパレット１が使用されてなくて垂直に堆積している時、任意の外部表面によって、又は別のパレット１の積荷配置面自体によって表すことができる。したがって、パレットの摺動は、例えば、ラフィアによって付与される摩擦により、コンベヤベルトによって避けることができる。それにより、動的安定性が改良される。
【００２８】
外面４（図１）上に支持されている支持要素３は、３次元幾何学的形状を有し、かつ軽量で柔軟な耐圧縮性の材料からなる。好ましくは、この材料は、例えばPolyonda（登録商標）などの多包型のプラスチックを備えている。この多包型の構造は、全ての種類の積荷の重量及び運動を支持することができる二層の物理的構成によって特徴付けられている。Polyonda（登録商標）は、熱可塑性物質であり、高い熱抵抗及び不透過性等の他の特徴を備えている。明らかに、多包型のプラスチックによって提供される機能及び安全の要求が保持される限り、別の種類の材料も使用できる。さらに、ボール紙や他の種類のプラチック等の任意の他の材料と共に、多包型のプラスチックを使用できる。
【００２９】
好ましくは、支持要素３の断面は、積荷配置面２上に配置された積荷のために良好な支持及び安全を提供する、円形のドーム形状の種類である。この種類の構成は、多包型のプラスチックと協働して、良好な機械的抵抗、その結果として、良好な許容積荷収容能力を有する。さらに、支持要素３は、フォーク状のトラックのフォークと安定して接触できるように構成されており、フォークが挿入されてフォークリフトによって積荷が移動及び移送されている間、パレット１が滑るのを防ぐ。したがって、良好な動的安定性が実現される。図２〜１１に示すいくつかの好適な実施例では、ドーム形状の支持要素３の凸状部分は、積荷配置面２に面し、ドーム形状の支持要素３の凹状部分は、基部５に面する。このドーム形状の幾何学的形状の構成は、唯一の可能な解決策でなく、幾何学的形状や構造の両方において、他の変形例も許容される。それゆえ、パレット１が意図する安全及び信頼性を有する場合、支持要素３は、三角形のドーム、平行六面体又は不規則な幾何学的形状の三次元形状を有してもよい。
【００３０】
支持要素３の長手部分は、第三端部２０３の垂直方向突出部から第四端部２０４の垂直方向突出部まで延びており、積荷配置面２によって構成される領域全体を一様かつ均質に支持する。
【００３１】
織物カバーは、第一及び第二端部２０１、２０２の垂直方向突出部を通して単に延びており、好ましくは、支持要素３の穴は、織物カバーによって包囲されていない。したがって、支持要素３は、さらに、フォークリフトトラックのフォークを案内し、操作者による移送作業を促進する役割を持つ。
【００３２】
使用原料（織物及び、多包型のプラスチック）により、これら材料が処理容易であるので、望まれる寸法安定性が促進される。もし独創的に設計された寸法でいかなる不一致点がある場合でも、繰り返しの作業を実施するために特別な工具や専門的人的資源が要求されない。また、材料の減耗が生じても、損傷は、従来の原料ほど多くない。上述のこれらの及び他の機能的な利点の他に、使用原料は再生利用可能である。すなわち、織物及び、多包型のプラスチックを、他のパレット又は他の用途の他の製品を製造するために再使用することができる。それゆえ、悪い環境の衝撃が提言され、持続的生産を実現する。
【００３３】
パレット１のいくつかの変形例を以下に示す。
【００３４】
第一実施例
第一実施例のパレット１が、図２及び３に示される。３つの支持要素３の各々が、積荷配置面２の織物カバーの延長部によって、外部で個々に包囲されている。この実施例では、積荷配置面２は、ラフィアを備えている織物カバーのみを備えている。これは、いくつかの好適な実施例の中の一つである。
【００３５】
第二実施例
第二実施例のパレット１は、図４及び５に示されている。三つの支持要素３が、積荷配置面２の織物の延長部によって、外部で共に包囲されている。したがって、織物カバーがパレット１の構造全体を包囲し、比較的に大きな安定性及び安全性を提供するが、第一実施例と比べて多くの織物を消費する。
【００３６】
第三実施例
第三実施例のパレット１が、図６及び７に示される。積荷配置面２は、織物カバーに加えて、実質的に強固な支持プラットフォーム２０５を備えている。支持プラットフォーム２０５は、矩形であり、積荷配置面２の領域全体を包囲する。
【００３７】
この支持プラットフォーム２０５を製造するために使用される原料は、使用の要求に応じて剛性及び厚さを有さなければならない。したがって、ボール紙、多包型のプラスチック自体、又はニーズを満たす任意の種類の材料を使用できる。
【００３８】
支持プラットフォーム２０５は、積荷が支持要素３上に支持されかつ織物カバーがプラットフォーム２０５に縫合されて支持要素３上で滑るのを防ぐように、支持要素３と積荷配置面２の織物カバーとの間において位置決めされている。
【００３９】
第四実施例
第四実施例のパレット１が、図８及び９に示される。この構成により、支持プラットフォーム２０６は、支持要素３とパレット１の基部５の織物カバーとの間に配置されている。支持プラットフォーム２０６は、矩形であり、積荷配置面２から垂直方向に突出している領域全体を包囲している。積荷配置面２の織物カバーの延長部は、支持プラットフォーム２０６に縫合される。
【００４０】
原料に関しては、支持プラットフォーム２０５の記載が支持プラットフォーム２０６にも当てはまる。
【００４１】
第三実施例の支持プラットフォーム２０５と第四実施例の支持プラットフォーム２０６が、別の実施例で、共に実施し、パレット１の機械的抵抗及び静的安定性を増すことができる。
【００４２】
第五実施例
第五実施例のパレット１が、図１０及び１１に示される。この構成は、支持要素２０６がないが、第四実施例の構成に類似しており、三つの支持プラットフォーム２０７は、矩形であるが、幅が比較的に小さい。したがって、二つ以上の支持プラットフォーム２０７を、パレット１の第一端部２０１の垂直方向突出部から第二端部２０２の垂直方向突出部まで延びているフレームのように延ばすことができる。第四実施例と同様に、積荷配置面２の織物カバーの延長部は、支持プラットフォーム２０６に縫合されている。
【００４３】
いくつかの例の好適な実施例を記載したが、本発明の範囲は、他のありうる変形例を包含し、可能な均等物を含む、添付の特許請求の範囲の内容によってのみ制限されるということを理解されるべきである。
【００４４】
第六実施例
本発明の第六実施例を図１２及び１３に示している。本実施例では、積荷を支持することができる少なくとも二つの支持要素３が設けられている。各支持要素３は、上限部６及び下限部７を少なくとも有している実質的に円形ドーム形状の断面を備えている。このドーム形状の構成及び多包型の構成により、支持要素が２．７ｋｇの重量しかないにも関らず、支持要素３が約６０００ｋｇの静荷重を支持することができるような機械的抵抗を提供する。それゆえ、この構成は、質量対積載量の点で相対的に悪い他の公知の幾何学的形状で形成された支持要素と比べて、製造コストが低く、性能が非常に高い。
【００４５】
比較事項として、木製パレットが２８ｋｇであり、移送工程が難しくなっている（例えば一人で一つのパレットを運ぶのが難しい）。
【００４６】
この実施例では、好ましくは断面が（円弧に類似した）実質的に円形ドーム形状であることを考慮すると、上限部６は、上側地点を示す、円弧の変曲点である。他方、下限部７は、上記円弧の下側地点を示す、円弧の基部の任意の地点からなる。
【００４７】
特に、支持要素３に関連している積荷配置面２は、支持要素３の上限部６と下限部７との間において予め定めた位置に配置されている。積荷配置面２は、積荷を位置決めするために、積荷領域を実質的に平坦にして安定させることができるように、下限部７よりも上限部６の近傍に配置しなければならない。
【００４８】
換言すると、支持要素３及び積荷配置面２からなる組立体は、支持プラットフォームがない場合ですら、容易に変形することなく、積荷を実質的に平坦に位置決めしかつ増大した領域を有するための一部分を形成する。
【００４９】
この解決策が、中くらいから高い積荷の下で積荷配置面２が望ましくない変形を引き起こしうるので、積荷配置面２が上限部６と適合するように位置決めされないということに留意することは重要である。
【００５０】
本実施例では、パレットの抵抗及び安定性を増すために、複数の支持要素３の下限部７の間において、これら下限部５を関連付けている基部５を少なくとも備えている。
【００５１】
第七実施例
本発明の第七実施例を図１７〜１９に示している。本実施例では、他の２つの支持要素３の間において、これら支持要素３と直角である、実質的に平行に位置決めされているさらなる２つの支持要素３が設けられている。それゆえ、本実施例では、四つの支持要素３があり、第一の支持要素３がパレットの第一端部２０１に位置決めされており、第二の支持要素３が第二端部２０２に位置決めされており、第三の支持要素３が第三端部２０３に位置決めされており、第四の支持要素３が第四端部２０４に位置決めされている。このパレットは、基部２が安定しかつ小さな変形で、重い積荷を支持できる、補強された四角形を有する。
【００５２】
第八実施例
本発明の第八実施例を図２０〜２２に示している。好ましくは断面が（円弧に類似した）実質的に円形ドーム形状であることを考慮すると、上限部６は、上側地点を示す、円弧の変曲点である。他方、下限部７は、上記円弧の下側地点を示す、円弧の基部の任意の地点からなる。
【００５３】
特に、支持要素３に関連している積荷配置面２は、支持要素３の上限部６と下限部７との間において予め定めた位置に配置されている。積荷配置面２は、積荷を位置決めするために、積荷領域を実質的に平坦にして安定させることができるように、下限部７よりも上限部６の近傍に配置しなければならない。
【００５４】
換言すると、支持要素３及び積荷配置面２からなる組立体は、支持プラットフォームがない場合ですら、容易に変形することなく、積荷を実質的に平坦に位置決めしかつ増大した領域を有するための一部分を形成する。
【００５５】
この解決策が、中くらいから高い積荷の下で積荷配置面２が望ましくない変形を引き起こしうるので、積荷配置面２が上限部６と適合するように位置決めされないということに留意することは重要である。
【００５６】
本実施例では、パレットの抵抗及び安定性を増すために、複数の支持要素３の下限部７の間において、これら下限部５を関連付けている基部５を少なくとも備えている。
【００５７】
パレットは、他の２つの支持要素３の間において、これら支持要素３と直角である、実質的に平行に位置決めされているさらなる２つの支持要素３を備えている。それゆえ、本実施例では、四つの支持要素３があり、第一の支持要素３がパレットの第一端部２０１に位置決めされており、第二の支持要素３が第二端部２０２に位置決めされており、第三の支持要素３が第三端部２０３に位置決めされており、第四の支持要素３が第四端部２０４に位置決めされている。このパレットは、基部２が安定しかつ小さな変形で、重い積荷を支持できる、補強された四角形を有する。
【００５８】
四つの支持要素が、対応の第一、第二、第三及び第四の端部２０１、２０２、２０３、２０４の長さよりも小さな寸法であるように位置決めされている。その結果、支持要素３の両開口部１０は、フォークリフトのフォークの位置決めができるように自由かつ開放している。それゆえ、パレットは、第一から第四の端部のいずれによっても移送することができ、利便性が増す。
【００５９】
第六実施例〜第八実施例のいずれの実施例のパレットにおいても、積荷配置面２及び基部５は、外部で支持要素３を伴うように、単一の片を形成するように直接的に関連していることに留意することが重要である。図１６は、本発明の第六実施例の、単一片である、積荷配置面２及び基部５を示している。ここで、単一の片は、前もって組み立てられており、バッグ９によって支持要素３を受け入れる用意ができており、パレット１の製造を簡単化する。
【００６０】
さらに、積荷配置面２の高度な平面性により、高い積荷を支持する時ですら、第六実施例から第八の実施例のいずれの実施例のパレットも、逆さまに使用（及び積載）することができる、すなわち、積荷配置面２及び基部５を逆にして、使用の可能性を増す。この使用は、本発明の第一実施例から第四実施例のパレットでは実現できない。
【００６１】
本発明のパレットの別の重要な利点は、プラスチック樹脂等の形態の原料を移送するために使用される時にパレット１が、前もって移送された樹脂と共に溶融することができるということである。この状況において、パレットは、有利的には、同じ樹脂で製造することができ、樹脂（及びパレット）をポリマー物品の製造のために溶融させる企業まで、移送しかつ「片道通行」する。上記を考慮すると、本発明のパレットは、移送すべき原料の部分であり、移送コストがゼロとなる。別の利点は、パレットの再生コストがゼロであるということである。
【００６２】
他の状況では、本発明のパレットは、公知のパレットの使用の補完として使用することができ、コストに関して有利である。ここで、従来のパレット（例えば、木製パレット）は、最初の企業（すなわち、産業）の内部で使用され、製造された物品が本発明のパレット１で移送される。この状況では、第一の企業は、（向上内で物品を移送するために）内部の使用のために高価なパレットを購入するためにより多くの資金を費やし、これら物品を、例えば第二の企業への移送のために本発明の安価なパレット１を買うことができる。物品が第一の企業の工場内で移送され、積載された本発明のパレット１が、正規のパレットを通して位置決め及び移送され、組立体が移送される。正規のパレットは、本発明のパレット１の基部として機能し、専ら内部での使用のための装置である。それゆえ、正規のパレットは工場から離れず、他のパレットの取得のためのコストやパレットを戻すための高価なコストを避ける。
【００６３】
二つの企業の間の移送中における本発明のパレット１の使用の別の利点は、高さが従来のパレットよりも低い少なくとも１６ｃｍであるので、トラックや船その他において利用可能な空間が増すことである。いくつかのパレットを重畳的に位置決めする場合、高さ方向の利用可能な空間が増す。
【００６４】
いくつかの例の好適な実施例を記載したが、本発明の範囲は、他のありうる変形例を包含し、可能な均等物を含む、添付の特許請求の範囲の内容によってのみ制限されるということを理解されるべきである。
【図１】
2011105351.tif 000003
【図２】
2011105351.tif 000004
【図３】
2011105351.tif 000005
【図４】
2011105351.tif 000006
【図５】
2011105351.tif 000007
【図６】
2011105351.tif 000008
【図７】
2011105351.tif 000009
【図８】
2011105351.tif 000010
【図９】
2011105351.tif 000011
【図１０】
2011105351.tif 000012
【図１１】
2011105351.tif 000013
【図１２】
2011105351.tif 000014
【図１３】
2011105351.tif 000015
【図１４】
2011105351.tif 000016
【図１５】
2011105351.tif 000017
【図１６】
2011105351.tif 000018
【図１７】
2011105351.tif 000019
【図１８】
2011105351.tif 000020
【図１９】
2011105351.tif 000021
【図２０】
2011105351.tif 000022
【図２１】
2011105351.tif 000023
【図２２】
2011105351.tif 000024
【外国語明細書】
2011105351000001.pdf